(57)【要約】【課題】一体な便座体及び小便器体を水平旋回することにより男女兼用のトイレとして使用することができ、かつ、水平旋回構造であるから一体な便座体及び小便器体の旋回を円滑かつ容易に行うことができ、更に、便座体に腰掛けたとき、使用者の背中に男小便用立上部が対向位置しないので、大きな違和感を感ずることがなくなり、販路拡大を期待することができ、公共施設等におけるトイレ不足も解消することができる。【解決手段】大便器体１の便座ボウル体１ａに載置可能な便座体３及び大便器体の便座ボウル体に載置可能な男小便用立上部２ａをもつ小便器体２からなり、便座体及び小便器体は使用方向の角度差をもって一体に形成され、便座体及び小便器体を便座ボウル体上に枢着部４により水平旋回自在に設けてなる。【選択図】        図１
2007247186.tif 000002
【特許請求の範囲】
【請求項１】
大便器体の便座ボウル体に載置可能な便座体及び大便器体の便座ボウル体に載置可能な男小便用立上部をもつ小便器体からなり、上記便座体及び上記小便器体は使用方向の角度差をもって一体に形成され、該便座体及び該小便器体を該便座ボウル体上に枢着部により水平旋回自在に設けてなることを特徴とする男女兼用トイレ。
【請求項２】
大便器体の便座ボウル体に載置可能な便座体及び大便器体の便座ボウル体に載置可能な男小便用立上部をもつ小便器体からなり、上記便座体及び上記小便器体は別体に形成され、該便座体及び該小便器体を各別に該便座ボウル体上に枢着部により水平旋回自在に設けてなることを特徴とする男女兼用トイレ。
【請求項３】
上記小便器体内の小便は上記便座ボウル体内に流下する構造であることを特徴とする請求項１又は２記載の男女兼用トイレ。
【発明の詳細な説明】
【技術分野】
【０００１】
本発明は例えば、一般家庭、デパート、公共施設等に用いられる男女兼用トイレに関するものである。
【背景技術】
【０００２】
従来、この種の男女兼用トイレとして、洋式トイレの便座が載置される便座ボウルの背側に男小便用立上部を設けた構造のものが知られている。
【特許文献１】実開平３−８５９９１号公報
【発明の開示】
【発明が解決しようとする課題】
【０００３】
しかしながらこれら上記従来構造の場合、便座ボウルの背側に男小便用立上部が設けられているため、便座に腰掛けたとき、使用者の背中に男小便用立上部が対向位置することになり、大きな違和感があり、販路拡大の隘路となることがあるという不都合を有している。
【課題を解決するための手段】
【０００４】
本発明はこれらの不都合を解決することを目的とするもので、本発明のうちで、請求項１記載の発明は、大便器体の便座ボウル体に載置可能な便座体及び大便器体の便座ボウル体に載置可能な男小便用立上部をもつ小便器体からなり、上記便座体及び上記小便器体は使用方向の角度差をもって一体に形成され、該便座体及び該小便器体を該便座ボウル体上に枢着部により水平旋回自在に設けてなることを特徴とする男女兼用トイレにある。
【０００５】
又、請求項２記載の発明は、大便器体の便座ボウル体に載置可能な便座体及び大便器体の便座ボウル体に載置可能な男小便用立上部をもつ小便器体からなり、上記便座体及び上記小便器体は別体に形成され、該便座体及び該小便器体を各別に該便座ボウル体上に枢着部により水平旋回自在に設けてなることを特徴とする男女兼用トイレにある。
【０００６】
又、請求項３記載の発明は、上記小便器体内の小便は上記便座ボウル体内に流下する構造であることを特徴とするものである。
【発明の効果】
【０００７】
本発明は上述の如く、請求項１記載の発明にあっては、一体な便座体及び小便器体を水平旋回することにより男女兼用のトイレとして使用することができ、かつ、水平旋回構造であるから一体な便座体及び小便器体の旋回を円滑かつ容易に行うことができ、更に、便座体に腰掛けたとき、使用者の背中に男小便用立上部が対向位置しないので、大きな違和感を感ずることがなくなり、販路拡大を期待することができ、公共施設等におけるトイレ不足も解消することができる。
【０００８】
又、請求項２記載の発明にあっては、便座体及び小便器体を各別に水平旋回することにより男女兼用のトイレとして使用することができ、かつ、水平旋回構造であるから便座体及び小便器体の各別の旋回を円滑かつ容易に行うことができ、更に、便座体に腰掛けたとき、使用者の背中に男小便用立上部が対向位置しないので、大きな違和感を感ずることがなくなり、販路拡大を期待することができ、公共施設等におけるトイレ不足も解消することができる。
【０００９】
又、請求項３記載の発明にあっては、上記小便器体内の小便は上記便座ボウル体内に通路Ｋを介して流下する構造となっている。
【発明を実施するための最良の形態】
【００１０】
図１乃至図６は本発明の実施の形態例を示し、図１乃至図５は第一形態例、図６は第二形態例である。
【００１１】
図１乃至図５の第一形態例において、１は大便器体、２は小便器体であって、壁Ｍの間の床Ｆに立設された大便器体１の便座ボウル体１ａに載置される便座体３及び男小便用立上部２ａをもつ小便器体２が大便又は小便の使用方向の角度差θ、この場合、１３５度をもって一体に形成されている。尚、この便座体３及び小便器体２を各別に製作し、その後に、この便座体３及び小便器体２を一体に連結する構造とすることもある。
【００１２】
４は枢着部であって、この場合、軸状の枢着部４により一体となっている便座体３及び小便器体２を上記便座ボウル体１ａ上に水平旋回自在に設けて構成している。
【００１３】
この場合、上記小便器体２内の小便Ｗは上記便座ボウル体１ａ内に通路Ｋを介して流下する構造となっており、かつ、この通路Ｋは一体となっている便座体３及び小便器体２の大便又は小便の使用による旋回位置に拘わらず連通する位置に設けられている。
【００１４】
尚、図示省略しているが、上記大便器体１、便座体３及び小便器体２に水洗機能やおしり、ビデ用のノズル、脱臭機能、暖房便座機能、便座体３の開閉蓋、温風機能等を付加することも可能である。又、便座体３及び小便器体２の水平旋回は手動式又は自動式構造を採用することができる。
【００１５】
この実施の第一形態例は上記構成であるから、例えば、女性使用時、大便使用時においては、一体な便座体３及び小便器体２を、図１、２の如く、便座体３が手前になるように配置し、便座ボウル体１ａに載置される便座体３上に腰を掛けて使用することができ、又、男小便使用時においては、一体な便座体３及び小便器体２を、図３、４の如く、枢着部４を中心として水平旋回して小便器体２が手前になるように配置して使用することができ、したがって、一体な便座体３及び小便器体２を水平旋回することにより男女兼用のトイレとして使用することができ、かつ、水平旋回構造であるから一体な便座体３及び小便器体２の旋回を円滑かつ容易に行うことができ、更に、便座体３に腰掛けたとき、使用者の背中に男小便用立上部２ａが対向位置しないので、大きな違和感を感ずることがなくなり、販路拡大を期待することができ、公共施設等におけるトイレ不足も解消することができる。
【００１６】
この場合、上記小便器体２内の小便Ｗは上記便座ボウル体１ａ内に流下する構造であるから、小便器体２の小便Ｗが外部に流出するおそれが無くなり、使用の快適性を高めることができる。
【００１７】
図６の第二形態例は別例構造を示し、１は大便器体、２は小便器体であって、床Ｆに立設された大便器体１の便座ボウル体１ａに載置される便座体３及び男小便用立上部２ａをもつ小便器体２が別体に形成されている。
【００１８】
４は枢着部であって、この場合、共通の軸状の枢着部４により別体な便座体３及び小便器体２を分離部Ｈにて上記便座ボウル体１ａ上に各別に水平旋回自在に設けて構成している。
【００１９】
この場合、上記小便器体２内の小便Ｗは上記便座ボウル体１ａ内に通路Ｋを介して流下する構造となっている。
【００２０】
尚、図示省略しているが、上記大便器体１、便座体３及び小便器体２にタンク５をもつ水洗機能やおしり、ビデ用のノズル、暖房便座機能、脱臭機能、便座体３の開閉蓋、温風機能等を付加することも可能である。又、便座体３及び小便器体２の水平旋回は手動式又は自動式構造を採用することができる。
【００２１】
この実施の第二形態例は上記構成であるから、例えば、女性使用時、大便使用時においては、便座体３及び小便器体２を枢着部４を中心として各別に水平旋回して便座体３は手前位置に、小便器体２は退避位置に位置するように配置し、便座ボウル体１ａに載置される便座体３上に腰を掛けて使用することができ、又、男小便使用時においては、便座体３及び小便器体２を各別に水平旋回させて小便器体２が手前位置に、便座体３は退避位置に位置するように配置して使用することができ、したがって、便座体３及び小便器体２を各別に水平旋回することにより男女兼用のトイレとして使用することができ、かつ、水平旋回構造であるから便座体３及び小便器体２の旋回を円滑かつ容易に行うことができ、更に、便座体３に腰掛けたとき、使用者の背中に男小便用立上部２ａが対向位置しないので、大きな違和感を感ずることがなくなり、販路拡大を期待することができ、公共施設等におけるトイレ不足も解消することができる。
【００２２】
この場合、上記小便器体２内の小便Ｗは上記便座ボウル体１ａ内に通路Ｋを介して流下する構造となっている。
【００２３】
尚、本発明は上記実施の形態例に限られるものではなく、例えば、第二形態例において、一個の枢着部４により共用しているが、便座体３及び小便器体２を各別の枢着部により水平旋回させる構造とすることもでき、大便器体１、小便器体４等のの構造、形状等は適宜変更して設計される。
【００２４】
以上、所期の目的を充分達成することができる。
【図面の簡単な説明】
【００２５】
【図１】本発明の実施の第一形態例の全体側断面図である。
【図２】本発明の実施の第一形態例の全体平面図である。
【図３】本発明の実施の第一形態例の全体側断面図である。
【図４】本発明の実施の第一形態例の全体平面図である。
【図５】本発明の実施の第一形態例の全体斜視図である。
【図６】本発明の実施の第二形態例の全体側断面図である。
【符号の説明】
【００２６】
Ｆ    床
Ｋ    通路
１    大便器体
１ａ    便座ボウル体
２    小便器体
２ａ    男小便用立上部
３    便座体
４    枢着部
【図１】
2007247186.tif 000003
【図２】
2007247186.tif 000004
【図３】
2007247186.tif 000005
【図４】
2007247186.tif 000006
【図５】
2007247186.tif 000007
【図６】
2007247186.tif 000008